(57)【特許請求の範囲】
【請求項１】
遊技球が流下可能な遊技領域が区画された略矩形板状の板部材と、前記板部材の背面に重ねて配置される枠状の裏ユニットとを備える遊技盤が取り付けられた遊技機であって、
前記裏ユニットは、
前記裏ユニットの中央領域を包囲する位置に取り付けられ、内側面を含む表面に鏡面処理が施された装飾部材と、
前記装飾部材の裏側に設定された待機位置、及び、前記中央領域に設定された露出位置の間を移動可能な可動体と
を備え、
前記可動体は、表面に鏡面処理が施されており、
前記可動体が前記待機位置にある場合、前記可動体は、前記装飾部材の裏側に位置するために視認不能または視認困難であり、
前記可動体が前記待機位置から前記露出位置に移動する際に、前記可動体は、前記板部材を介して視認可能となるとともに前記装飾部材の前記内側面に映り込む
ことを特徴とする遊技機。
【請求項２】
前記可動体は、光を発する発光演出を行う発光体を備え、前記発光体は、前記可動体による演出を行っている際に前記発光演出を行うことを特徴とする請求項１に記載の遊技機。
【請求項３】
前記可動体は、可動体本体と、前記可動体本体に設けられ、前記中央領域から外周側に延びる延出部とを備え、
前記延出部の表面に鏡面処理が施されている
ことを特徴とする請求項１または２に記載の遊技機。
【請求項４】
前記延出部は、光を発する発光演出を行う発光体を備え、
前記可動体は、前記発光体の前側を覆うように前記延出部に取り付けられ、光拡散処理が施された発光面を有するレンズ部材を備え、
前記発光面は複数の発光面部からなり、前記複数の発光面部の少なくとも１つが、前記可動体本体の外周側に傾斜した方向に向けて配置されている
ことを特徴とする請求項３に記載の遊技機。
【請求項５】
前記装飾部材の前記内側面に、前記装飾部材の前記裏ユニット側の端縁から前記装飾部材の前記板部材側の端縁に延びる突起が設けられていることを特徴とする請求項１乃至４のいずれか１項に記載の遊技機。
【発明の詳細な説明】
【技術分野】
【０００１】
本発明は、板部材と裏ユニットとを備える遊技盤が取り付けられた遊技機に関するものである。
【背景技術】
【０００２】
従来、遊技機の図柄表示装置では、主に図柄を用いた遊技演出が行われる。この図柄表示装置では、さらにキャラクタを登場させるなどの遊技演出を行うことにより、遊技機の興趣を高める努力がなされている。
【０００３】
しかし、図柄表示装置で遊技演出を行うのみでは、遊技者に与えるインパクトが弱い。そこで、図柄表示装置の手前側で可動体を動かして補助的な遊技演出を行うものが提案されている（例えば特許文献１参照）。特許文献１に記載の可動体は、待機位置と露出位置との間を移動するものである。可動体は、待機位置にあるときには装飾部材の裏側に隠れており、待機位置から露出位置に移動したときに露出するようになっている。なお、遊技者にさらなるインパクトを与えるためには、可動体に発光体を設けることも考えられる。この場合、可動体の移動に併せて、発光体による発光演出が行われるようになる。
【先行技術文献】
【特許文献】
【０００４】
【特許文献１】特開２００３−１９０４９１号公報（図１，図３等）
【発明の概要】
【発明が解決しようとする課題】
【０００５】
しかし、可動体の移動に併せて行う発光演出は、一般化してきているため、遊技者に十分なインパクトを与えているとは言い難い。よって、将来的には、さらにインパクトのある演出を行うことが要望される。
【０００６】
本発明は上記の課題に鑑みてなされたものであり、その目的は、遊技者に新たなインパクトを与えることが可能な遊技機を提供することにある。
【課題を解決するための手段】
【０００７】
上記の課題を解決するために、請求項１（手段１）に記載の発明は、遊技球が流下可能な遊技領域が区画された略矩形板状の板部材と、前記板部材の背面に重ねて配置される枠状の裏ユニットとを備える遊技盤が取り付けられた遊技機であって、前記裏ユニットは、前記裏ユニットの中央領域を包囲する位置に取り付けられ、内側面を含む表面に鏡面処理が施された装飾部材と、前記装飾部材の裏側に設定された待機位置、及び、前記中央領域に設定された露出位置の間を移動可能な可動体とを備え、前記可動体は、表面に鏡面処理が施されており、前記可動体が前記待機位置にある場合、前記可動体は、前記装飾部材の裏側に位置するために視認不能または視認困難であり、前記可動体が前記待機位置から前記露出位置に移動する際に、前記可動体は、前記板部材を介して視認可能となるとともに前記装飾部材の前記内側面に映り込むことを特徴とする遊技機をその要旨とする。
【０００８】
従って、請求項１に記載の発明によると、可動体が待機位置から露出位置に移動する際に、可動体が装飾部材に映り込むことにより、遊技者に強いインパクトを与えることが可能となる。しかも、装飾部材の表面に映り込みながら可動体が移動するため、可動体が移動する間は装飾部材の表面がちらつくようになる。その結果、遊技者に新たなインパクトを与えることが可能となる。以上のことから、遊技機の興趣の向上を図ることができる。また、可動体が小さい場合であっても、可動体が装飾部材に映り込むことにより、遊技者に対して効果的なインパクトを与えることができる。
【０００９】
なお、板部材は、着色された材料によって形成されていてもよいし、無色透明の材料によって形成されていてもよい。仮に、板部材を着色された材料によって形成すれば、板部材を装飾性を有する部材として用いることができる。一方、板部材を無色透明の樹脂材料によって形成すれば、裏ユニットに図柄表示装置を取り付けた際に、図柄表示装置の表示画面が板部材を介して視認可能となる。
【００１０】
ここで、装飾部材の正面視での形状としては、長方形状、正方形状、円形状、楕円形状、三角形状などが挙げられる。なお、装飾部材の表面に施される鏡面処理としては特に限定されないが、例えば、めっき、金属箔の貼付、蒸着、反射材を含む塗料の塗布、鏡面研磨などが挙げられる。
【００１１】
可動体の正面視での形状としては、長方形状、正方形状、円形状、楕円形状、三角形状などが挙げられる。また、可動体としては、正面視で左右方向、上下方向、斜め方向などに沿って直線的に移動するものや、任意の軸（例えば、裏ユニットの裏面に対して垂直に延びる軸）を中心として回転移動するものなどが挙げられる。なお、可動体は、一方向のみに移動するものに限られる訳ではなく、多方向に移動するものであってもよい。
【００１３】
また、請求項１に記載の発明によると、可動体が露出位置に移動する際に、可動体が装飾部材に映り込むだけでなく、装飾部材が可動体に映り込むようにもなる。その結果、遊技者により強いインパクトを与えることが可能となるため、遊技機のさらなる興趣の向上を図ることができる。ここで、可動体の表面に施される鏡面処理としては特に限定されないが、例えば、めっき、金属箔の貼付、蒸着、反射材を含む塗料の塗布、鏡面研磨などが挙げられる。なお、可動体の表面に施される鏡面処理を装飾部材の表面に施される鏡面処理と同じものにすれば、装飾部材及び可動体に一体感を持たせることができる。また、装飾部材及び可動体の鏡面処理を同時に施すことができるため、遊技機の製造工程の簡略化を図ることができる。
【００１４】
請求項２（手段３）に記載の発明は、請求項１において、前記可動体は、光を発する発光演出を行う発光体を備え、前記発光体は、前記可動体による演出を行っている際に前記発光演出を行うことをその要旨とする。
【００１５】
従って、請求項２に記載の発明によると、可動体による演出を行っている際に、単に可動体が装飾部材に映り込むだけではなく、発光体からの光（発光演出）を装飾部材に映し込むことができる。その結果、遊技者によりいっそう強いインパクトを与えることが可能となるため、遊技機のさらなる興趣の向上を図ることができる。
【００１６】
発光体としては、電気エネルギーを光エネルギーに変換する任意の発光体のうちから、任意に選択することが可能である。ここで、好適な発光体としては、エネルギー変換部としてフィラメント等のような抵抗体の発熱発光現象を利用した小型電球（ランプ）、放電現象を利用した蛍光管、エレクトロルミネッセンス現象を利用したエレクトロルミネッセンス素子（ＥＬ素子）、半導体の性質を利用した発光ダイオード（ＬＥＤ）などが挙げられるが、特には、発光ダイオードであることが好ましい。発光ダイオードは、消費電力が少なく、寿命が長いため、遊技機の低コスト化を図ることができる。また、発光ダイオードは小型化が容易であるため、複数の発光体を可動体に設けたとしても、可動体の大型化を抑えることができる。
【００１７】
請求項３（手段４）に記載の発明は、請求項１または２において、前記可動体は、可動体本体と、前記可動体本体に設けられ、前記中央領域から外周側に延びる延出部とを備え、前記延出部の表面に鏡面処理が施されていることをその要旨とする。
【００１８】
可動体が待機位置から露出位置に移動した場合、可動体は、装飾部材から離間するため、装飾部材に映り込みにくくなる。そこで、請求項３に記載の発明では、可動体を構成する可動体本体に、中央領域から外周側に延びる延出部を設けている。この場合、可動体が装飾部材から離間したとしても、延出部は装飾部材の近傍に位置し続けるため、延出部は確実に装飾部材に映り込むようになる。その結果、遊技者に強いインパクトを与え続けることができる。
【００１９】
請求項４（手段５）に記載の発明は、請求項３において、前記延出部は、光を発する発光演出を行う発光体を備え、前記可動体は、前記発光体の前側を覆うように前記延出部に取り付けられ、光拡散処理が施された発光面を有するレンズ部材を備え、前記発光面は複数の発光面部からなり、前記複数の発光面部の少なくとも１つが、前記可動体本体の外周側に傾斜した方向に向けて配置されていることをその要旨とする。
【００２０】
従って、請求項４に記載の発明によると、レンズ部材の発光面を構成する複数の発光面部の少なくとも１つが、可動体本体の外周側に傾斜した方向に向けて配置されている。このため、可動体本体の外周側に傾斜している発光面部は、可動体が露出位置に移動する際に、可動体よりも裏ユニットの外周側にある装飾部材と向かい合うようになる。従って、レンズ部材が取り付けられた延出部を、確実に装飾部材に映し込ませることができる。また、延出部には発光体が設けられているため、可動体が露出位置に移動する際に、発光体は装飾部材の近傍に位置するようになる。その結果、発光体からの光は確実に装飾部材に到達するようになるため、発光体からの光を確実に装飾部材に映し込ませることができる。以上のことから、遊技者によりいっそう強いインパクトを与えることが可能となるため、遊技機のさらなる興趣の向上を図ることができる。
【００２１】
また、請求項４に記載の発明によると、発光体の前側にレンズ部材を設けたことにより、発光体が発する光の進行方向を変更することができる。特に、発光体が発光ダイオードであるような場合には、指向性が強くて照射角が狭いという性質があり、そのままでは発光体が点状に光ってしまうという問題がある。その点、請求項４に記載の発明によれば、上記のレンズ部材を設けたことにより、指向性が強くて照射角が狭い光の角度が変更される結果、発光ダイオードが点状に光ることを防止できる。また、レンズ部材を設けた請求項４に記載の発明によれば、発光体を確実に保護することができる。
【００２２】
レンズ部材は、透光性を有する材料（例えば樹脂やガラス等）によって形成されることが好ましく、特には割れにくい光透過性樹脂によって形成されることが好適である。レンズ部材の発光面に施される光拡散処理としては特に限定されないが、例えば、発光面に微細な凹凸を設ける加工（ディンプル加工、シボ加工、溝加工、サンドブラスト加工、ショットブラスト加工など）を施したものであることがよい。
【００２３】
請求項５（手段６）に記載の発明は、請求項１乃至４のいずれか１項において、前記装飾部材の前記内側面に、前記装飾部材の前記裏ユニット側の端縁から前記装飾部材の前記板部材側の端縁に延びる突起が設けられていることをその要旨とする。
【００２４】
従って、請求項５に記載の発明によると、装飾部材の内周面に突起が形成されているため、内周面への可動体の映り込みが複雑になる。その結果、遊技者によりいっそう強いインパクトを与えることが可能となるため、遊技機のさらなる興趣の向上を図ることができる。
【００２５】
なお、突起の正面視での形状としては、長方形状、長円形状、三角形状などが挙げられる。また、突起は、裏ユニット側の端縁から板部材側の端縁に行くに従って徐々に幅狭になる形状をなしていてもよいし、裏ユニット側の端縁から板部材側の端縁に行くに従って徐々に幅広になる形状をなしていてもよいが、板部材側の端縁（即ち遊技者側）に行くに従って徐々に幅狭になる形状をなすことが好ましい。このようにすれば、突起の前端だけでなく突起の側面も遊技者側に露出するため、突起の表面への映り込みを遊技者に見せやすくなる。
【発明の効果】
【００２６】
以上詳述したように、請求項１〜５に記載の発明によれば、遊技者に新たなインパクトを与えることが可能な遊技機を提供することができる。特に、請求項２に記載の発明によれば、遊技者によりいっそう強いインパクトを与えることが可能となるため、遊技機のさらなる興趣の向上を図ることができる。
【図面の簡単な説明】
【００２７】
【図１】本発明におけるパチンコ機を示す正面図。
【図２】遊技盤を示す正面図。
【図３】裏ユニットを示す正面図。
【図４】裏ユニットを示す正面図。
【図５】裏ユニットを示す斜視図。
【図６】図４のＡ−Ａ線断面図。
【図７】図４のＢ−Ｂ線断面図。
【図８】裏ユニットを示す要部正面図。
【図９】裏ユニットを示す要部斜視図。
【図１０】裏ユニットを示す要部断面図。
【図１１】（ａ）は装飾部材を正面側から見たときの状態を示す斜視図、（ｂ）は装飾部材を背面側から見たときの状態を示す斜視図。
【図１２】第１上部可動体が露出位置に移動したときの状態を示す遊技盤の正面図。
【発明を実施するための形態】
【００２８】
以下、本発明の遊技機をパチンコ機１０に具体化した一実施形態を図面に基づき説明する。
【００２９】
（１）パチンコ機１０全体の概略構成
図１には、パチンコ機１０の機表側が略示されている。このパチンコ機１０は、機体の外郭をなす縦長方形状の外枠１１を備えている。外枠１１の開口前面側には、機体を構成する縦長方形状の中枠１２が、開閉及び着脱自在に組み付けられている。また、中枠１２の前面側には、前枠１４が横開き状態で開閉可能に組み付けられている。前枠１４は、中央部に窓口１４ａを有するとともに、窓口１４ａの下方に上球皿１５が一体的に組み付けられた構造を有している。前枠１４の裏面側には、機内部に配置された遊技盤１３を透視保護するためのガラス（図示略）が組み付けられている。
【００３０】
また、前枠１４の前面には、上側枠ランプ１６ａ、左側枠ランプ１６ｂ及び右側枠ランプ１６ｃが設けられている。各枠ランプ１６ａ〜１６ｃは、図示しない発光体（発光ダイオードなど）を備え、同発光体にレンズ部材を覆い被せて構成されている。これらの枠ランプ１６ａ〜１６ｃでは、パチンコ機１０の各種遊技の演出態様（大当り、リーチなど）に応じて点灯（点滅）・消灯などの発光装飾が行われるようになっている。
【００３１】
図１に示されるように、前枠１４の左上部には左スピーカ１７ａが配設され、前枠１４の右上部には右スピーカ１７ｂが配設されている。左スピーカ１７ａ及び右スピーカ１７ｂは、各種音声を出力して音声演出を行うためのものである。左スピーカ１７ａ及び右スピーカ１７ｂは前枠１４の裏面側に装着され、前枠１４の前面側において左スピーカ１７ａ及び右スピーカ１７ｂと対応する箇所には複数の放音孔（図示略）が形成されている。
【００３２】
さらに、中枠１２の前面側において前枠１４の下方には、下球皿１８が開閉可能に組み付けられている。下球皿１８の右方には、遊技球を発射する際に遊技者によって回動操作される操作ハンドル１９が装着されている。また、下球皿１８の左方には、各種音声を出力して音声演出を行う下スピーカ１７ｃが配設されている。なお、下スピーカ１７ｃは中枠１２に装着されている。
【００３３】
（２）遊技盤１３の構成
図２〜図５等に示されるように、遊技盤１３は、パチンコ機１０に取り付けられており、板部材３１と、板部材３１の背面に重ねて配置された裏ユニット４１とを備えている。板部材３１及び裏ユニット４１は、複数のネジ（図示略）によって互いに固定されている。板部材３１は、ベニヤ板などの木製基板の表面に樹脂製のセルを貼付することによって略矩形板状に形成されている。一方、裏ユニット４１は、板部材３１と略同じ外形を有し、樹脂材料（例えば、無色透明のＡＢＳ樹脂等）の射出成形によって略矩形枠状に形成されている。なお、裏ユニット４１の裏側には、図柄表示装置（図示略）が着脱自在に取り付けられるようになっている。本実施形態の図柄表示装置は液晶式であるが、ドットマトリクス式、エレクトロルミネッセンス素子式、７セグメント式の図柄表示装置であってもよい。図柄表示装置では、変動画像（または画像表示）に基づく遊技演出（表示演出）が行われるようになっている。そして、図柄表示装置では、表示演出に関連して、複数種類の図柄を３列で変動させて図柄組み合わせを導出させる図柄変動ゲームが表示されるようになっている。
【００３４】
（２−１）板部材３１の構成
図１，図２に示されるように、板部材３１の前面（即ち、遊技盤１３の遊技盤面１３ａ）には、遊技球が流下可能な遊技領域３２を区画する内レール３３ａ及び外レール３３ｂが略円形状に敷設されている。内レール３３ａと外レール３３ｂとの間に生じる発射経路には、操作ハンドル１９を操作した際に発射された遊技球が通過するようになっている。そして、発射経路を通過した遊技球は、発射経路の終端部から遊技領域３２に進入し、遊技領域３２内を流下するようになっている。
【００３５】
また、遊技盤面１３ａの略中央部には、開口部５０ａを有する枠状のセンター役物５０が装着されている。開口部５０ａの下側部分は、後壁７７によって塞がれている。さらに、センター役物５０の左側部には、左側装飾部材７８が取り付けられている。左側装飾部材７８は、センター役物５０の左側部の大部分を覆っており、左側に凸となる湾曲形状をなしている。さらに、左側装飾部材７８は、板部材３１の厚さ方向に沿って裏ユニット４１側に延びており、発光面が遊技盤面１３ａに対して略垂直に配置されている。なお、左側装飾部材７８は、樹脂材料（例えば、赤色に着色した透光性を有するＡＢＳ樹脂等）の射出成形によって形成されている。そして、左側装飾部材７８の表面全体には、光拡散処理（本実施形態では波模様）が施されている。
【００３６】
図１，図２に示されるように、遊技盤面１３ａ上におけるセンター役物５０の下方位置には、始動入賞口５１ａが形成された始動入賞装置５１が配設されている。なお、始動入賞装置５１への遊技球の入賞を契機として図柄表示装置による図柄変動ゲームが開始されると、所定数（本実施形態では３個）の賞球の払い出しが行われるようになっている。
【００３７】
また、遊技盤面１３ａ上における始動入賞装置５１の下方には、図示しないソレノイドにより開閉動作を行う大入賞口扉５２ａを備えた大入賞装置５２が配設されている。大入賞装置５２では、大入賞口への遊技球の入賞を契機として、所定数（本実施形態では１５個）の賞球の払い出しが行われるようになっている。さらに、遊技盤面１３ａ上におけるセンター役物５０の左側には、遊技球の通過を検知する機能を有するゲート５３が設けられている。ゲート５３は、上下方向に開口しており、遊技領域３２内を流下する遊技球が上方から通過可能になっている。
【００３８】
図１，図２に示されるように、遊技盤面１３ａにおいて始動入賞装置５１の左方には、左下外普通入賞装置５８ａ、左下中普通入賞装置５８ｂ及び左下内普通入賞装置５８ｃが配設されている。各普通入賞装置５８ａ〜５８ｃは、遊技球が常時入賞可能となっており、互いに連なった状態に配置されている。さらに、遊技盤面１３ａにおいて始動入賞装置５１の右上方には、右普通入賞装置５８ｄが配設されている。右普通入賞装置５８ｄには遊技球が常時入賞可能となっている。なお、各普通入賞装置５８ａ〜５８ｄでは、遊技球の入賞を契機として、所定数（本実施形態では１０個）の賞球の払い出しが行われるようになっている。
【００３９】
また、遊技領域３２内には風車３４が配設され、遊技領域３２の略全域には複数の遊技釘３５が植設されている。風車３４及び遊技釘３５は、遊技領域３２内を流下する遊技球の方向を変更するとともに、各入賞装置５１，５２，５８ａ〜５８ｃに向けて遊技球を誘導可能となっている。また、遊技領域３２の最下部（内レール３３ａの下端部）には、いずれの入賞装置５１，５２，５８ａ〜５８ｃにも入賞しなかった遊技球を回収するためのアウト口５７が配置されている。
【００４０】
（２−２）裏ユニット４１の構成
図３〜図５等に示されるように、裏ユニット４１は、正面視略矩形板状の本体部４２と、本体部４２の外周縁から前側に延びる４つの壁部４３，４４，４５，４６とによって箱状に構成されている。本体部４２（裏ユニット４１）の中央領域Ａ１には、図柄表示装置が取り付けられる略矩形状の表示装置取付孔４７が設けられている。表示装置取付孔４７は、図柄表示装置の表示画面と略同じ大きさ及び形状をなしている。よって、図柄表示装置の表示画面は、表示装置取付孔４７及びセンター役物５０の開口部５０ａを介して板部材３１の前面側から視認可能となる。また、本体部４２の前面側には、普通入賞装置５８ａ〜５８ｃに連通する左普通入賞装置用球経路（図示略）、右普通入賞装置５８ｄに連通する右普通入賞装置用球通路４８、及び、始動入賞装置５１に連通する始動入賞装置用球通路４９が設けられている。
【００４１】
さらに、本体部４２における表示装置取付孔４７の下側には、始動入賞装置裏基板取付部６１が設定されている。始動入賞装置裏基板取付部６１には、発光ダイオードの発光などによる遊技演出を実行させる制御を行うためのランプ中継信号基板（図示略）が取り付けられている。また、本体部４２における表示装置取付孔４７の右下側には、右普通入賞装置裏基板取付部６２が設定されている。右普通入賞装置裏基板取付部６２には、主制御基板（図示略）から統括制御基板（図示略）に出力される信号を中継する電源中継基板（図示略）が取り付けられている。
【００４２】
図３〜図７に示されるように、本体部４２における表示装置取付孔４７の左上側には、中継基板６３が取り付けられる中継基板取付部６４が設定されている。また、本体部４２には、中継基板６３の全面を覆う基板カバー２１が取り付けられている。そして、基板カバー２１には、前側に突出する略円筒状のボス２２，２３が設けられている。ボス２２，２３には、先端面（前端面）において開口するネジ穴が設けられている。さらに、ボス２３には、先端面から突出する位置決めピンが設けられている。
【００４３】
また、本体部４２における中継基板取付部６４の下側には、前側に突出する略円筒状のボス２５が設けられ、本体部４２における中継基板取付部６４の右側にも、前側に突出する略円筒状のボス２６が設けられている。ボス２５，２６には、先端面において開口するネジ穴が設けられている。さらに、ボス２５には、先端面から突出する位置決めピンが設けられている。
【００４４】
図３，図４等に示されるように、本体部４２における表示装置取付孔４７の開口端下部には、基台１１１が取り付けられている。基台１１１は、樹脂材料（例えば、赤色に着色したＡＢＳ樹脂等）の射出成形によって形成されている。基台１１１は、表示装置取付孔４７の開口部下端縁に沿って横方向に延びるとともに、両端部が上方に延びる形状をなしている。基台１１１の左側部分には、前側に突出する略円筒状の基台側ボス（図示略）が３箇所に設けられている。各基台側ボスには、先端面において開口するネジ穴が設けられている。さらに、各基台側ボスのうちの１つには、先端面から突出する位置決めピンが設けられている。
【００４５】
また、本体部４２における表示装置取付孔４７の右下側には、右下可動体（図示略）が取り付けられる右下可動体取付部６５が設定されている。本体部４２における表示装置取付孔４７の右上側には、右上可動体６６（図１，図２参照）が取り付けられる右上可動体取付部６７が設定されている。本体部４２における表示装置取付孔４７の上側には、第１上部可動体６８及び第２上部可動体６９（図１，図２参照）が取り付けられる上部可動体取付部７０が設定されている。なお、上述した複数の可動体のうち、右上可動体６６、第１上部可動体６８及び第２上部可動体６９は、センター役物５０の裏側の空間に配置されている。
【００４６】
（３）発光装置８１の構成
図３〜図７に示されるように、裏ユニット４１において左側装飾部材７８の裏側となる位置よりも外周側の領域であって、本体部４２において表示装置取付孔４７よりも左側となる領域には、発光装置８１が設けられている。発光装置８１は、右上可動体６６、第１上部可動体６８及び第２上部可動体６９の占有領域外及び移動領域外に配置されている。具体的に言うと、発光装置８１は、第１上部可動体６８を構成する左側の可動体本体１０１の移動領域よりも前側に配置されている。発光装置８１は、発光基板８２、ケース部材８３及びレンズ部材８４を備えている。発光基板８２は、略矩形板状をなし、実装面８２ａに複数の発光ダイオード８６が実装されている。
【００４７】
ケース部材８３は、樹脂材料（例えば、無色透明のＡＢＳ樹脂等）の射出成形によって形成され、発光基板８２を収容するようになっている。なお、発光基板８２の実装面８２ａは、裏ユニット４１の裏面４１ａから装飾部材１４１側に傾斜している。本実施形態において、発光基板８２と裏面４１ａとがなす傾斜角度は６０°に設定されている。
【００４８】
図３〜図７に示されるように、ケース部材８３には、後側に延びる一対の張出部９５，９６が設けられている。両張出部９５，９６の基端側にはネジ孔が設けられ、両張出部９５，９６の先端側には位置決め孔が設けられている。また、ケース部材８３には、ケース部材８３の両端側に突出する張出部１２１，１２３が設けられている。張出部１２１の中央部分にはネジ孔が設けられている。張出部１２３の基端側には位置決め孔が設けられ、張出部１２３の先端側にはネジ孔が設けられている。なお、張出部９５の位置決め孔にボス２３の位置決めピンを係合させ、張出部９６の位置決め孔にボス２５の位置決めピンを係合させた状態で、各張出部９５，９６のネジ孔を挿通したネジをボス２３，２５のネジ穴に螺着させる。また、張出部１２１のネジ孔を挿通したネジをボス２２のネジ穴に螺着させる。さらに、張出部１２３の位置決め孔に基台側ボスの位置決めピンを係合させた状態で、張出部１２３のネジ孔を挿通したネジを基台側ボスのネジ穴に螺着させる。その結果、ケース部材８３が本体部４２に固定される。
【００４９】
図３〜図７に示されるように、レンズ部材８４は、各発光ダイオード８６の前側を覆うようにケース部材８３に取り付けられている。このとき、ケース部材８３内に収容されている発光基板８２は、ケース部材８３とレンズ部材８４との間に挟み込まれた状態で固定される。レンズ部材８４は、樹脂材料（例えば、無色透明のＡＢＳ樹脂等）の射出成形によって形成されており、光拡散処理（本実施形態では網目模様）が施された発光面１２６を有している。また、発光面１２６は、裏ユニット４１の裏面４１ａから装飾部材１４１側に傾斜しており、発光基板８２の実装面８２ａと平行に配置されている。本実施形態において、発光面１２６と裏面４１ａとがなす傾斜角度は６０°に設定されている。なお、発光面１２６の下端部は、裏面４１ａに対して垂直に配置されている。また、レンズ部材８４は、各発光ダイオード８６が発する光の進行方向を、装飾部材１４１側とセンター役物５０の左側装飾部材７８側とに変更する機能を有している。さらに、レンズ部材８４は、装飾部材１４１によって反射された光をさらに左側装飾部材７８側に反射させる機能も有している。
【００５０】
（４）装飾部材１４１の構成
図３〜図１１に示されるように、裏ユニット４１において左側装飾部材７８の裏側となる位置よりも外周側の領域であって、本体部４２において表示装置取付孔４７よりも左側となる領域には、装飾部材１４１が設けられている。即ち、装飾部材１４１は、本体部４２の中央領域Ａ１を包囲する位置に取り付けられている。装飾部材１４１は、発光装置８１からの光を反射させるとともに、反射した光をセンター役物５０側の左側装飾部材７８に照射する機能を有している。なお、装飾部材１４１は、裏ユニット４１において発光装置８１と隣接するように配置され、かつ、発光装置８１よりも内周側に配置されている。また、装飾部材１４１は、右上可動体６６、第１上部可動体６８及び第２上部可動体６９の占有領域外及び移動領域外に配置されている。具体的に言うと、装飾部材１４１は、第１上部可動体６８を構成する左側の可動体本体１０１の移動領域よりも前側に配置されている。装飾部材１４１を構成する装飾部材本体１４２は、本体部４２における表示装置取付孔４７の上側から表示装置取付孔４７の下側まで延びている。また、装飾部材本体１４２は、正面視で円弧状をなし、裏ユニット４１の壁部４５側に凸となる湾曲形状をなしている。
【００５１】
装飾部材本体１４２は、樹脂材料（例えば、黒色に着色したＡＢＳ樹脂等）の射出成形によって形成され、全面に鏡面処理（本実施形態では金色のめっき）が施されている。装飾部材本体１４２は、正面視略円弧状の前板部１４３と、前板部１４３の外周縁から後側に延びる４つの壁部１４４，１４５，１４６，１４７とによって形成されている。前板部１４３の外側面は、裏ユニット４１の裏面４１ａ側から内周側に傾斜している。本実施形態では、前板部１４３の外側面と裏面４１ａとがなす傾斜角度θ１（図１０参照）は３０°に設定されている。装飾部材本体１４２の外周側（発光装置８１側）の壁部１４４及び内周側（表示装置取付孔４７側）の壁部１４５は、前板部１４３に対して互いに同一方向及び同一角度で傾斜するとともに、壁部４５側（及び発光装置８１側）に凸となる湾曲形状をなしている。また、装飾部材本体１４２の上端部側の壁部１４６及び下端部側の壁部１４７は、前板部１４３に対して直交している。
【００５２】
図３，図４，図７，図１１に示されるように、外周側の壁部１４４における後端部分には、外周側に延びる３個の張出部１４８，１４９，１５０が互いに離間した状態で配設されている。各張出部１４８〜１５０の中央部分にはネジ孔が設けられている。なお、最も上側にある張出部１４８のネジ孔を挿通したネジをボス２６のネジ穴に螺着させる。また、残り２つの張出部１４９，１５０を挿通したネジを、それぞれ基台側ボスのネジ穴に螺着させる。その結果、装飾部材本体１４２が裏ユニット４１の本体部４２に固定される。
【００５３】
また、装飾部材本体１４２には発光基板１５２が収容されている。具体的に言うと、発光基板１５２は、実装面１５３を前板部１４３側に向けた状態で装飾部材本体１４２に収容されている。なお、発光基板１５２の実装面１５３には、複数の発光ダイオード（図示略）が実装されている。そして、装飾部材本体１４２の前板部１４３には、３つのレンズ部材１５４が発光ダイオードの前側を覆うように取り付けられている。各レンズ部材１５４は、発光ダイオードが発する光の進行方向を装飾部材本体１４２の前側と内周側とに変更する機能を有している。各レンズ部材１５４は、装飾部材本体１４２が延びる方向に沿って等間隔に配置されている。各レンズ部材１５４は、正面視での形状が略台形状をなし、装飾部材本体１４２の内周側から見たときの形状が略三角形状をなしている。各レンズ部材１５４は、樹脂材料（例えば、無色透明のＡＢＳ樹脂等）の射出成形によって形成され、表面には各種の模様が施されている。また、前板部１４３においてレンズ部材１５４が設けられていない領域には、正面視略円弧状の装飾板１６０が埋設されている。装飾板１６０は、樹脂材料（例えば、無色透明のＡＢＳ樹脂等）の射出成形によって形成され、表面に塗装によって各種の模様が施されるとともに、裏面に光拡散処理（本実施形態では複数の溝部）が施されている。
【００５４】
なお、本実施形態の装飾部材１４１は、従来から用いられている装飾部材の一部を切り欠くことによって形成されたものである。具体的に言うと、図３〜図１１に示されるように、装飾部材本体１４２は、外周側の壁部１４４の一部を切り落とすことによって形成された平坦面１５５を有している。平坦面１５５は、発光装置８１側のレンズ部材８４の発光面１２６に対向配置され、かつ、発光面１２６の下端部と平行に配置されている。
【００５５】
さらに、装飾部材本体１４２は、発光装置８１側において開口する切欠凹部１５６を有している。切欠凹部１５６は、装飾部材本体１４２において最も上側に位置するレンズ部材１５４の近傍から装飾部材本体１４２において真ん中に位置するレンズ部材１５４の下側まで延びている。切欠凹部１５６の底面は、発光装置８１からの光を左側装飾部材７８側に反射させる反射面１５７である。反射面１５７は、裏ユニット４１の裏面４１ａから発光装置８１側に傾斜して発光面１２６と対向している。本実施形態では、反射面１５７と裏面４１ａとがなす傾斜角度は４５°に設定されている。
【００５６】
図３〜図１１に示されるように、切欠凹部１５６の内壁面は、反射面１５７の両端にそれぞれ接続され、反射面１５７によって反射された光を反射させる再反射面１５８，１５９である。各再反射面１５８，１５９は、裏ユニット４１の裏面４１ａに対して垂直に配置されている。反射面１５７の上端に接続される再反射面１５８は、発光面１２６側に向けて配置され、反射面１５７によって反射された光を発光面１２６側に反射させるようになっている。また、反射面１５７の下端に接続される再反射面１５９は、反射面１５７側に向けて配置され、反射面１５７によって反射された光を再度反射面１５７側に反射させるようになっている。
【００５７】
さらに、図８，図９等に示されるように、装飾部材本体１４２の内周面１６１には、レンズ部材１５４が配置される複数のレンズ部材配置領域１６２と、複数の突起形成領域１６３とが、壁部１４５の周方向に沿って交互に配置されている。そして、各突起形成領域１６３には、複数の突起１６４が壁部１４５の周方向に沿って等間隔に配置されている。各突起１６４は、壁部１４５の裏ユニット４１側（後側）の端縁から壁部１４５の板部材３１側（前側）の端縁に延びている。また、各突起１６４は、正面視で略直角三角形状をなす面１６４ａ，１６４ｂ（図８参照）からなり、全体として正面視で略二等辺三角形状をなしている。各突起１６４は、裏ユニット４１側の端縁から板部材３１側の端縁に行くに従って徐々に幅狭になる形状をなしている。また、各突起１６４の突出量は、裏ユニット４１側の端縁から板部材３１側の端縁に行くに従って徐々に小さくなっている。
【００５８】
（５）第１上部可動体６８の構成
図３〜図１０に示されるように、第１上部可動体６８は、正面視で円弧状をなす一対の可動体本体１０１を備えている。左側の可動体本体１０１は、装飾部材１４１の装飾部材本体１４２と相似形状をなしている。両可動体本体１０１は、樹脂材料（例えば、黒色に着色したＡＢＳ樹脂等）の射出成形によって形成され、表面には鏡面処理（本実施形態では金色のめっき）が施されている。可動体本体１０１は、一方の端部に設けられた接続部材１０３を介して、裏ユニット４１の裏面４１ａに対して垂直に延びる軸１０２に取り付けられている。両可動体本体１０１は、軸１０２を中心として揺動し、かつ、互いに開閉するようになっている。また、両可動体本体１０１は、本体部４２に取り付けられた可動体モータ１０４の回転に伴って揺動するようになっている。具体的に言うと、可動体モータ１０４の回転軸にはモータギア（図示略）が取り付けられ、モータギアには、接続部材側ギア（図示略）が中継ギア（図示略）を介して間接的に噛み合っている。接続部材側ギアには、前側に突出するピン１０５が設けられている。また、接続部材１０３には、ピン１０５が挿入される長孔１０６が設けられている。そして、可動体モータ１０４、モータギア、中継ギア及び接続部材側ギアが回転すると、ピン１０５が長孔１０６内を移動することにより、可動体本体１０１が揺動するようになっている。
【００５９】
なお、左側の可動体本体１０１は、装飾部材１４１の裏側に設定された待機位置（図３参照）、及び、表示装置取付孔４７内の中央領域Ａ１に設定された露出位置（図４，図５参照）の間を揺動する。左側の可動体本体１０１が待機位置にある場合（即ち、両可動体本体１０１が開状態にある場合）、左側の可動体本体１０１は、装飾部材１４１の裏側に位置するために視認困難である。このとき、左側の可動体本体１０１は、発光装置８１及び装飾部材１４１の裏側の空間Ｓ１（図６参照）を占めている。そして、左側の可動体本体１０１が待機位置から露出位置に移動する際（即ち、両可動体本体１０１が閉状態に移行する場合）に、左側の可動体本体１０１は、センター役物５０の開口部５０ａを介して視認可能となるとともに、装飾部材１４１の表面（具体的には、装飾部材本体１４２の内周面１６１）に映り込むようになる。
【００６０】
図３〜図１０に示されるように、各可動体本体１０１には、同可動体本体１０１の内周側に延びる内周側延出部１７１が４箇所に設けられている。各内周側延出部１７１は、可動体本体１０１の周方向に沿って等間隔に配置されている。また、可動体本体１０１には発光基板１７２が収容されている。そして、発光基板１７２の実装面１７３において内周側延出部１７１内に位置する領域には、光を発する発光演出を行う発光ダイオード（図示略）が複数実装されている。なお、可動体本体１０１の裏側に位置する開口部分は、可動体本体１０１に発光基板が収容された状態で、裏板１７４によって塞がれている。
【００６１】
また、各内周側延出部１７１には、発光ダイオードの前側を覆うようにレンズ部材１７５が取り付けられている。各レンズ部材１７５は、樹脂材料（例えば、無色透明のＡＢＳ樹脂等）の射出成形によって形成されており、裏面側に光拡散処理（本実施形態では複数の溝部）が施された発光面１７６を有している。発光面１７６は、正面視で略直角三角形状をなす２つの発光面部１７６ａ，１７６ｂ（図８参照）からなり、全体として、先端側に行くに従って徐々に幅狭になる略二等辺三角形状をなしている。
【００６２】
図８，図９等に示されるように、各発光面部１７６ａ，１７６ｂは、可動体本体１０１の内周側に傾斜する方向に向けて配置されている。発光面部１７６ａ，１７６ｂ（発光面１７６）と可動体本体１０１の裏面１０１ａとがなす傾斜角度θ２（図６参照）は、可動体本体１０１の周方向から見て１５°以上２５°以下（本実施形態では２０°）に設定されている。さらに、発光面部１７６ａは、可動体本体１０１の周方向において接続部材１０３側に傾斜する方向に向けて配置され、発光面部１７６ｂは、可動体本体１０１の周方向において接続部材１０３側とは反対側に傾斜する方向に向けて配置されている。発光面部１７６ａと裏面１０１ａとがなす傾斜角度、及び、発光面部１７６ｂと裏面１０１ａとがなす傾斜角度は、互いに等しく、内周側延出部１７１の延出方向から見て２５°以上３５°以下（本実施形態では３０°）に設定されている。そして、互いに隣接する発光面部１７６ａと発光面部１７６ｂとがなす角度は、１１０°以上１３０°以下（本実施形態では１２０°）に設定されている。
【００６３】
図３〜図１０に示されるように、各可動体本体１０１には、中央領域Ａ１から外周側に延びる外周側延出部１８１が４箇所に設けられている。各外周側延出部１８１は、可動体本体１０１の周方向に沿って等間隔に配置されている。各外周側延出部１８１は、可動体本体１０１と内周側延出部１７１との接続部分から内周側延出部１７１とは反対方向に延びている。なお、左側の可動体本体１０１に設けられた外周側延出部１８１は、可動体本体１０１が露出位置にある際に、装飾部材１４１の突起形成領域１６３と向かい合うように配置されている。また、上述した発光基板１７２の実装面１７３において外周側延出部１８１内に位置する領域には、発光演出を行う発光ダイオード１８４（発光体）が複数実装されている。
【００６４】
また、各外周側延出部１８１には、発光ダイオード１８４の前側を覆うように上記したレンズ部材１７５が取り付けられている。各レンズ部材１７５は、内周側延出部１７１の発光面１７６とは別の発光面１８５を有している。発光面１８５は、正面視で略直角三角形状をなす４つの発光面部１８５ａ，１８５ｂ，１８５ｃ，１８５ｄ（図８参照）からなり、全体として正面視略菱形状をなしている。
【００６５】
図８，図９等に示されるように、各発光面部１８５ａ〜１８５ｄのうち、２つの発光面部１８５ｃ，１８５ｄは、可動体本体１０１の内周側に傾斜する方向に向けて配置されている。発光面部１８５ｃ，１８５ｄ（発光面１８５）と可動体本体１０１の裏面１０１ａとがなす傾斜角度θ３（図６参照）は、可動体本体１０１の周方向から見て５°以上１５°以下（本実施形態では１０°）に設定されている。また、各発光面部１８５ａ〜１８５ｄのうち、残り２つの発光面部１８５ａ，１８５ｂは、可動体本体１０１の外周側に傾斜する方向に向けて配置されている。発光面部１８５ａ，１８５ｂ（発光面１８５）と裏面１０１ａとがなす傾斜角度θ４（図６参照）は、可動体本体１０１の周方向から見て２５°以上３５°以下（本実施形態では３０°）に設定されている。そして、互いに隣接する発光面部１８５ａと発光面部１８５ｄとがなす角度、及び、互いに隣接する発光面部１８５ｂと発光面部１８５ｃとがなす角度は、それぞれ１３０°以上１５０°以下（本実施形態では１４０°）に設定されている。
【００６６】
さらに、各発光面部１８５ａ〜１８５ｄのうち、２つの発光面部１８５ａ，１８５ｄは、可動体本体１０１の周方向において接続部材１０３側に傾斜する方向に向けて配置されている。発光面部１８５ａ，１８５ｄと可動体本体１０１の裏面１０１ａとがなす傾斜角度は、外周側延出部１８１の延出方向から見て２５°以上３５°以下（本実施形態では３０°）に設定されている。また、各発光面部１８５ａ〜１８５ｄのうち、残り２つの発光面部１８５ｂ，１８５ｃは、可動体本体１０１の周方向において接続部材１０３側とは反対側に傾斜する方向に向けて配置されている。発光面部１８５ｂ，１８５ｃと裏面１０１ａとがなす傾斜角度は、発光面部１８５ａ，１８５ｄと裏面１０１ａとがなす傾斜角度と等しく、外周側延出部１８１の延出方向から見て２５°以上３５°以下（本実施形態では３０°）に設定されている。そして、互いに隣接する発光面部１８５ａと発光面部１８５ｃとがなす角度、及び、互いに隣接する発光面部１８５ｂと発光面部１８５ｄとがなす角度は、それぞれ１１０°以上１３０°以下（本実施形態では１２０°）に設定されている。
【００６７】
なお、図３〜図５，図８，図９に示されるように、可動体本体１０１を構成する前板部１０７において外周側延出部１８１が設けられていない領域には、正面視略円弧状の装飾板１０８が埋設されている。装飾板１０８は、樹脂材料（例えば、無色透明のＡＢＳ樹脂等）の射出成形によって形成され、表面に塗装によって各種の模様が施されるとともに、裏面に光拡散処理（本実施形態ではディンプル加工）が施されている。
【００６８】
次に、第１上部可動体６８を用いた演出の具体例を説明する。
【００６９】
図３に示されるように、第１上部可動体６８が備える一対の可動体本体１０１が待機位置にある場合に、始動入賞装置５１への遊技球の入賞があると、図柄変動装置において図柄変動が開始される。なお、この時点では、両可動体本体１０１はセンター役物５０の裏側に位置しているため、遊技者は、可動体本体１０１の存在を確認できないようになっている（図２参照）。また、両可動体本体１０１は、装飾部材１４１の裏側に位置するため、装飾部材１４１には殆ど映り込んでいない。
【００７０】
ここで、例えば、左列及び右列を同一種類の図柄で確定停止させた状態で、中列の図柄が変動するリーチが発生すると、可動体モータ１０４が回転するのに伴い、両可動体本体１０１が軸１０２を中心として揺動を開始する。また、内周側延出部１７１内の発光ダイオードが点灯（点滅）するとともに、外周側延出部１８１内の発光ダイオード１８４が点灯（点滅）する発光演出が開始される。
【００７１】
なお、両可動体本体１０１が待機位置から露出位置に移動する際、左側の可動体本体１０１が装飾部材１４１から露出するようになる。その結果、左側の可動体本体１０１が装飾部材１４１の内周面１６１に映り込むようになる。詳述すると、まず、内周側延出部１７１が装飾部材１４１の裏側から露出し、内周側延出部１７１が内周面１６１に映り込むとともに、内周側延出部１７１内の発光ダイオードによる発光演出が内周面１６１に映り込むようになる。次に、外周側延出部１８１が装飾部材１４１の裏側から露出し、外周側延出部１８１が内周面１６１に映り込むとともに、外周側延出部１８１内の発光ダイオード１８４による発光演出が内周面１６１に映り込むようになる。そして、両可動体本体１０１の露出位置への移動が完了すると、両可動体本体１０１が開口部５０ａを介して遊技者側から完全に見えるようになる（図１２参照）。なお、装飾部材１４１よりも内周側にある露出位置に可動体本体１０１が移動することに伴い、左側の可動体本体１０１は反射部材１４１から徐々に離間していくため、内周面１６１への可動体本体１０１の映り込みが少なくなっていく。しかし、外周側延出部１８１は、外周側に延出する形状を有しているため、両可動体本体１０１が露出位置まで移動したときにおいても、内周面１６１に映り込んだ状態を維持することができる。
【００７２】
その後、図柄表示装置にて行われていたリーチ演出が終了すると、可動体モータ１０４をそれまでとは逆方向に回転させ、両可動体本体１０１を露出位置から待機位置に移動させる。そして、両可動体本体１０１が待機位置に到達した時点で可動体モータ１０４を停止させる。また、可動体モータ１０４の停止とともに、内周側延出部１７１内の発光ダイオードの点灯（点滅）を終了させるとともに、外周側延出部１８１内の発光ダイオード１８４の点灯（点滅）を終了させる。この時点で、第１上部可動体６８を用いた演出が終了する。なお、内周側延出部１７１内の発光ダイオード及び外周側延出部１８１内の発光ダイオード１８４は、第１上部可動体６８による演出を行っている際（具体的には、両可動体本体１０１が見えている際）にしか点灯（点滅）しないため、省電力化を図ることができる。
【００７３】
従って、本実施形態によれば以下のような効果を得ることができる。
【００７４】
（１）本実施形態のパチンコ機１０では、第１上部可動体６８が備える一対の可動体本体１０１が待機位置から露出位置に移動する際に、左側の可動体本体１０１が装飾部材１４１に映り込むことにより、遊技者に強いインパクトを与えることが可能となる。しかも、装飾部材１４１の内周面１６１に映り込みながら左側の可動体本体１０１が移動するため、左側の可動体本体１０１が移動する間は内周面１６１がちらつくようになる。その結果、遊技者に新たなインパクトを与えることができる。以上のことから、パチンコ機１０の興趣の向上を図ることができる。また、第１上部可動体６８が仮に小さいものであったとしても、第１上部可動体６８が装飾部材１４１に映り込むことにより、遊技者に対して効果的なインパクトを与えることができる。さらに、本実施形態では、視認不能であった可動体本体１０１が突然出現することにより、遊技者に意外性を与えることができる。よって、パチンコ機１０のさらなる興趣の向上を図ることができる。
【００７５】
（２）本実施形態では、第１上部可動体６８が備える一対の可動体本体１０１が、露出位置にある場合に正面視で円環状をなすようになっている（図４，図５，図１２参照）。このため、両可動体本体１０１が露出位置に移動した場合であっても、両可動体本体１０１の内側領域には図柄表示装置の表示画面が露出するようになる。その結果、遊技者は、両可動体本体１０１に邪魔されずに、図柄表示装置の表示画面を常時視認することができる。ゆえに、第１上部可動体６８を用いた演出を行ったにもかかわらず、逆に興趣が低下してしまう、といった問題を解消することができる。
【００７６】
（３）本実施形態では、第１上部可動体６８が備える一対の可動体本体１０１の表面に鏡面処理（金色のめっき）が施されている。従って、両可動体本体１０１が露出位置に移動する際に、左側の可動体本体１０１が装飾部材１４１に映り込むだけでなく、装飾部材１４１が左側の可動体本体１０１に映り込むようにもなる。しかも、装飾部材１４１には複数のレンズ部材１５４が設けられ、各レンズ部材１５４は、発光基板１５２に実装された発光ダイオードが発する光の進行方向を装飾部材本体１４２の内周側、即ち、露出位置にある左側の可動体本体１０１側に変更する機能を有している。このため、両可動体本体１０１が露出位置に移動する際に、単に装飾部材１４１が左側の可動体本体１０１に映り込むだけではなく、レンズ部材１５４からの光を左側の可動体本体１０１に映し込むことができる。その結果、遊技者により強いインパクトを与えることが可能となるため、パチンコ機１０のさらなる興趣の向上を図ることができる。
【００７７】
（４）本実施形態では、可動体本体１０１に、同可動体本体１０１の内周側に延びる内周側延出部１７１を設け、左側の可動体本体１０１が待機位置から露出位置に移動する際に、内周側延出部１７１を装飾部材１４１の裏側から最初に露出させるようにしている。その結果、装飾部材１４１への可動体本体１０１の映り込みが早いタイミングで開始される。ゆえに、遊技者に強いインパクトを長時間与え続けることができる。
【００７８】
なお、上記実施形態を以下のように変更してもよい。
【００７９】
・上記実施形態では、装飾部材１４１が裏ユニット４１の本体部４２において表示装置取付孔４７よりも左側となる領域に配置され、両可動体本体１０１が露出位置に移動する際に、左側の可動体本体１０１が装飾部材１４１の内周面１６１に映り込むようになっていた。しかし、装飾部材１４１を本体部４２において表示装置取付孔４７よりも右側となる領域に配置し、両可動体本体１０１が露出位置に移動する際に、右側の可動体本体１０１が装飾部材１４１の内周面１６１に映り込むようにしてもよい。
【００８０】
・上記実施形態では、左列及び右列を同一種類の図柄で確定停止させた状態で、中列の図柄変動するリーチが発生したときに、第１上部可動体６８が備える一対の可動体本体１０１が待機位置から露出位置に移動するようになっていた。しかし、両可動体本体１０１が移動する条件を変更してもよい。例えば、図柄変動装置の表示画面に表示される各図柄が大当りの表示結果（「７、７、７」）で確定停止したときに、両可動体本体１０１が移動するようにしてもよい。また、再抽選（図柄を仮停止させた後、再び図柄変動させて確定停止させること）において、両可動体本体１０１が移動するようにしてもよい。
【００８１】
次に、前述した実施形態によって把握される技術的思想を以下に列挙する。
【００８２】
（１）上記手段１乃至６のいずれか１つにおいて、前記装飾部材は光を発する装飾部材側発光体を備え、前記可動体には、前記装飾部材側発光体からの光が照射されることを特徴とする遊技機。
【００８３】
（２）上記手段１乃至６のいずれか１つにおいて、前記可動体は一対の可動体本体を備え、前記一対の可動体本体の少なくとも一方が前記装飾部材と相似形状をなしていることを特徴とする遊技機。
【００８４】
（３）上記手段１乃至６のいずれか１つにおいて、前記可動体は一対の可動体本体を備え、前記一対の可動体本体及び前記装飾部材は、いずれも正面視で円弧状をなしていることを特徴とする遊技機。
【００８５】
（４）上記手段１乃至６のいずれか１つにおいて、前記装飾部材は、全面に鏡面処理が施されていることを特徴とする遊技機。
【００８６】
（５）上記手段２において、前記可動体は、全面に鏡面処理が施されていることを特徴とする遊技機。
【符号の説明】
【００８７】
１０…遊技機としてのパチンコ機
１３…遊技盤
３１…板部材
３２…遊技領域
４１…裏ユニット
６８…可動体としての第１上部可動体
１０１…可動体本体
１４１…装飾部材
１６１…装飾部材の内周面
１６４…突起
１７５…レンズ部材
１８１…延出部としての外周側延出部
１８４…発光体としての発光ダイオード
１８５…発光面
１８５ａ，１８５ｂ，１８５ｃ，１８５ｄ…発光面部
Ａ１…中央領域
【図１】
0005864356.tif 000002
【図２】
0005864356.tif 000003
【図３】
0005864356.tif 000004
【図４】
0005864356.tif 000005
【図５】
0005864356.tif 000006
【図６】
0005864356.tif 000007
【図７】
0005864356.tif 000008
【図８】
0005864356.tif 000009
【図９】
0005864356.tif 000010
【図１０】
0005864356.tif 000011
【図１１】
0005864356.tif 000012
【図１２】
0005864356.tif 000013